(57)【特許請求の範囲】
【請求項１】
シャーシと、ディスクを回転させるターンテーブルとこのターンテーブル上にディスクをチャッキングするクランパ部材とを有し、前記シャーシに対して弾性部材を介してフローティング状態で支持されてディスクを回転駆動するディスク駆動部と、前記シャーシに対して可動に支持されて、ディスクとの当接状態で回転することによってディスクを前記ターンテーブル上に搬送するローディングローラ部材と、前記シャーシに対して可動に支持されて、前記ディスク駆動部をシャーシに対して固定位置にロックするロック部材と、ディスクを前記ターンテーブル上に搬送した後、ターンテーブル上のチャッキング位置に位置決めし、前記クランパ部材によってチャッキングし、前記ローディングローラ部材をディスクから離し、前記ロック部材のロックを解除して前記ディスク駆動部をフローティング状態とするディスクローディング機構を備えたＣＤプレーヤにおいて、
前記ディスクローディング機構は、前記ローディングローラ部材をディスクと当接する当接位置とディスクから離れる解除位置との間で移動させる第１のガイド部と、
前記クランパ部材をチャッキング位置と解除位置との間で移動させる第２のガイド部とを有し、
前記シャーシに対して移動することによって、前記第１と第２のガイド部を介してローディングローラ部材とクランパ部材の切換動作をそれぞれ行う第１の切換部材と、
前記ロック部材をロック位置と解除位置との間で移動させるガイド部を有し、前記シャーシに対して移動することによって、ガイド部を介してロック部材の切換動作を行う第２の切換部材とを備え、
前記第１と第２の切換部材は、単一の駆動源によって駆動されるとともにこの単一の駆動源からの駆動力によって回転する駆動ギヤの回転中心を挟む両側に対向配置され、前記駆動ギヤの回転によって互いに逆方向に平行移動するように構成されたことを特徴とするＣＤプレーヤ。
【請求項２】
前記駆動ギヤと前記第１の切換部材とは連結されており、前記第２の切換部材はディスク挿入時においては駆動ギヤから切り離された状態にあり、この状態から駆動ギヤによって第１の切換部材を駆動し、続いて第２の切換部材を駆動するように構成されたことを特徴とする請求項１記載のＣＤプレーヤ。
【請求項３】
前記駆動ギヤと前記第１および第２の切換部材の各々とは、ピンと溝からなる個別の係合部を介してそれぞれ連結されるように構成されたことを特徴とする請求項２記載のＣＤプレーヤ。
【請求項４】
前記単一の駆動源からの駆動力を前記駆動ギヤに伝達する伝達ギヤを備え、
前記駆動ギヤは、欠歯部を有する間欠ギヤであり、ギヤ歯部分では前記伝達ギヤと連結され、ディスクローディング開始時には欠歯部によって伝達ギヤから切り離された状態となるように構成され、
前記第１の切換部材には、ディスクが前記チャッキング位置に位置決めされる際に第１の切換部材に対する相対移動であるトリガ動作を行い、続いて第１の切換部材と一体的に動作するトリガ部材が設けられ、前記駆動ギヤは、トリガ部材の前記トリガ動作によって回転し、前記伝達ギヤに噛み合うように構成されたことを特徴とする請求項３記載のＣＤプレーヤ。
【請求項５】
前記駆動ギヤと前記第１および第２の切換部材は、ディスクローディング時においては、
駆動ギヤによる第１の切換部材の動作後期に第２の切換部材を駆動ギヤに連結して第２の切換部材の動作を開始させ、
続いて第１の切換部材を駆動ギヤから切り離して停止させた後に第２の切換部材のみを駆動し、
ディスクイジェクト時においては、
駆動ギヤによる第２の切換部材の動作後期に第１の切換部材を駆動ギヤに連結して第１の切換部材の動作を開始させ、続いて第２の切換部材を駆動ギヤから切り離して停止させた後に第１の切換部材のみを駆動するように構成されたことを特徴とする請求項２乃至４のいずれか１項に記載のＣＤプレーヤ。
【請求項６】
前記駆動ギヤと前記第１および第２の切換部材の各々とは、個別のラックを介してそれぞれ連結されるように構成されたことを特徴とする請求項２記載のＣＤプレーヤ。
【請求項７】
前記ラックは、ディスク挿入時には前記駆動ギヤから前記第１および第２の切換部材の両方が切り離された状態となるように構成され、
前記第１の切換部材には、ディスクが前記チャッキング位置に位置決めされる際に第１の切換部材に対する相対移動であるトリガ動作を行い、
続いて第１の切換部材と一体的に動作するトリガ部材が設けられ、
前記第１の切換部材は、前記トリガ部材の前記トリガ動作によって前記駆動ギヤと連結されるように構成され、
前記第１および第２の切換部材の一方の切換部材の動作を利用して他方の切換部材を駆動ギヤと連結する連結手段が設けられ、
この連結手段は、ディスクローディング時には第１の切換部材の後期動作を利用して第２の切換部材を前記駆動ギヤに連結し、ディスクイジェクト時には第２の切換部材の後期動作を利用して第１の切換部材を前記駆動ギヤに連結するように構成されたことを特徴とする請求項６記載のＣＤプレーヤ。
【請求項８】
前記連結手段は、ディスクローディング時においては、第１の切換部材の後期動作によって前記第２の切換部材を前記駆動ギヤに連結した後に第２の切換部材の初期動作によって第１の切換部材を駆動ギヤから切り離し、ディスクイジェクト時においては、第２の切換部材の後期動作によって第１の切換部材を駆動ギヤに連結した後に第１の切換部材の初期動作によって第２の切換部材を駆動ギヤから切り離すように構成されたことを特徴とする請求項７記載のＣＤプレーヤ。
【請求項９】
前記連結手段は、前記第１および第２の切換部材の間に設けられたリンクを含み、
このリンクと第１および第２の切換部材の各々とは、ピンと溝からなる個別の係合部を介してそれぞれ連結されたことを特徴とする請求項７または８記載のＣＤプレーヤ。
【請求項１０】
前記リンクは、ディスクローディング時に第１の切換部材を駆動ギヤから切り離した時点から動作終了までの間、およびディスクイジェクト時に動作開始から第１の切換部材を駆動ギヤに連結するまでの間において、第１の切換部材と前記トリガ部材とが前記ピンにより係合され一体的に移動するように構成されたことを特徴とする請求項９記載のＣＤプレーヤ。
【請求項１１】
前記連結手段は、前記第１および第２の切換部材の間に設けられた反転スプリングを含み、前記駆動ギヤ、前記反転スプリング、前記第１および第２の切換部材は、ディスクローディング時においては、駆動ギヤによる第１の切換部材の後期動作によって反転スプリングを反転させ、反転スプリングの力によって第２の切換部材を駆動ギヤに連結すると共に第１の切換部材を駆動ギヤから切り離し、ディスクイジェクト時においては、駆動ギヤによる第２の切換部材の後期動作によって反転スプリングを反転させ、反転スプリングの力によって第１の切換部材を駆動ギヤに連結すると共に第２の切換部材を駆動ギヤから切り離すように構成されたことを特徴とする請求項７記載のＣＤプレーヤ。
【請求項１２】
ディスクローディング時に第１の切換部材を駆動ギヤから切り離した時点から動作終了までの間、およびディスクイジェクト時に動作開始から第１の切換部材を駆動ギヤに連結するまでの間において、第１の切換部材と前記トリガ部材とが前記ピンにより係合され一体的に移動するための保持手段が設けられたことを特徴とする請求項７または１１記載のＣＤプレーヤ。
【発明の詳細な説明】
【０００１】
【発明の属する技術分野】
本発明は、ＣＤプレーヤに係り、特に、ディスクをローディングした後に、ディスクをチャッキングし、ローディングローラをディスクから離し、ディスク駆動部のロックを解除するためのディスクローディング機構を小型化するための技術に関するものである。
【０００２】
【従来の技術】
従来、ＣＤプレーヤにおいては、振動による音飛びなどの不都合を防止する観点から、ディスクを回転駆動するディスク駆動部をシャーシに対して弾性部材を介してフローティング状態で支持するタイプの装置が広く普及している。
【０００３】
このようなＣＤプレーヤにおいて、ディスクローディング機構のローディング動作は、基本的に次のような一連の動作▲１▼〜▲４▼によって行われる。
【０００４】
▲１▼ターンテーブル上へのディスクの搬送（ディスクの水平移動：引き込み）
▲２▼ディスクのチャッキング（ディスクの垂直移動：挟み込み）
▲３▼ローディングローラの解除（ディスク駆動領域外への移動）
▲４▼ディスク駆動部のロック解除
また、このようなローディング動作を行う機構のイジェクト動作は、以上のような一連の動作▲１▼〜▲４▼と逆の流れの動作、すなわち、次のような一連の動作▲４▼´〜▲１▼´によって行われる。
【０００５】
▲４▼´ディスク駆動部のロック
▲３▼´ローディングローラの当接（ディスク当接位置への移動）
▲２▼´ディスクのチャッキング解除（ディスクの垂直移動：挟み込みの解除）
▲１▼´外部へのディスクの搬送（ディスクの水平移動：排出）
【０００６】
そして、モータの数を最小化して構成の小型・簡略化を図る観点から、以上のような一連の動作は、概して単一の駆動モータで行われる。この場合、ディスクローディング機構には、上記の動作▲２▼〜▲４▼の各動作に関する複数の部材を個別に移動させるための複数のガイド部を有する単一の切換部材が設けられており、この単一の切換部材は、例えばシフトプレートと呼ばれている。
【０００７】
図６および図７は、以上のようなシフトプレートを使用した従来のＣＤプレーヤのディスクローディング機構の一例を示す図であり、図６は側面図、図７は平面図である。この図６および図７において、（Ａ）はローディング動作開始状態、（Ｂ）はチャッキング状態、（Ｃ）は、ローディング動作完了状態（ローディングローラの解除後のロック解除状態）をそれぞれ示している。
【０００８】
図６および図７に示すように、ディスクを回転させるターンテーブル１１と、ターンテーブル１１上にディスクをチャッキングするクランパ部材１２は、図示していない他の部材と共にディスクを回転駆動するディスク駆動部を構成しており、このディスク駆動部は、図示していないシャーシに対して弾性部材を介してフローティング状態で支持されるようになっている。
【０００９】
また、図６中の１３は、ディスクをターンテーブル１１上に搬送するローディングローラ部材、図７中の１４は、前記ディスク駆動部をシャーシに対して固定位置にロックするロック部材であり、図６および図７の両方に示される１５は、クランパ部材１２、ローディングローラ部材１３、およびロック部材１４という３種類の部材を個別に切換制御するための単一のシフトプレートである。以下には、このような切換制御に関連する各部材の構成と部材間の関係についてより詳細に説明する。
【００１０】
まず、シフトプレート１５は、図６および図７に示すように、シャーシに対して水平方向に直線的に移動可能に支持されており、図６および図７の（Ａ）に示すような図中右側のローディング動作開始位置と図６および図７の（Ｃ）に示すような図中左側のローディング動作完了位置との間で往復動するように構成されている。このシフトプレート１５は、平行な２枚の垂直プレートと、この２枚の垂直プレートの下部間を接続する２枚の水平プレートから構成されている。
【００１１】
そして、図６に示すように、シフトプレート１５の一方の垂直プレートの長手方向の一端（図中右側端部）には、クランパ部材１２の切換制御を行うためのカム１５ａが設けられ、他方の垂直プレートの長手方向の他端（図中左側端部）には、ローディングローラ部材１３の切換制御を行うためのカム孔１５ｂが設けられている。また、図７に示すように、シフトプレート１５の一方の水平プレートには、ロック部材１４の切換制御を行うためのガイド孔１５ｃが設けられている。さらに、図６および図７に示すように、カム１５ａを有する側の垂直プレートの上部には、図７の（Ａ）に示すようにロック位置にあるロック部材１４と対向してロック部材１４と共にディスク駆動部を固定位置にロックするためのロック爪１５ｄが水平方向に突出する形で設けられている。なお、図中１６は、ディスク駆動部の被ロック部である。
【００１２】
次に、クランパ部材１２は、図６に示すように、シャーシに対して支点１２ａによって垂直方向に回動可能に支持されており、図６の（Ａ）に示すような上方の解除位置と図６の（Ｂ）に示すような下方のチャッキング位置との間で移動するようになっている。このクランパ部材１２の一端には、ローラ１２ｂが取り付けられており、シフトプレート１５のカム１５ａと係合するようになっている。また、クランパ部材１２は、図示していないスプリングによってチャッキング方向（図中下方）に付勢されている。
【００１３】
続いて、ローディングローラ部材１３は、図６に示すように、シャーシに対して支点１３ａによって垂直方向に回動可能に支持されており、図６の（Ａ）に示すような上方の当接位置と、図６の（Ｃ）に示すような下方の解除位置との間で移動するようになっている。このローディングローラ部材１３の一端には、ピン１３ｂが取り付けられており、シフトプレート１５のカム孔１５ｂ内に挿入されている。また、ローディングローラ部材１３は、図示していないスプリングによってディスク当接方向（図中上方）に付勢されている。
【００１４】
最後に、ロック部材１４は、図７に示すように、シャーシに対して支点１４ａによって水平方向に回動可能に支持されており、図７の（Ａ）に示すような反時計方向側のロック位置と、図７の（Ｃ）に示すような時計方向側の解除位置との間で移動するようになっている。このロック部材１４の一端には、ピン１４ｂが取り付けられており、シフトプレート１５のガイド孔１５ｃ内に挿入されている。また、ロック部材１４は、図示していないスプリングによってロック方向（図中反時計方向）に付勢されている。
【００１５】
以上のような構成を有する図６および図７のディスクローディング機構のローディング動作は次の通りである。
【００１６】
すなわち、ローディング動作においては、ターンテーブル１１上にディスクが搬送された後、シフトプレート１５が、図６および図７の（Ａ）に示すローディング動作開始位置から図中左側に向かって移動を開始する。このシフトプレート１５の動作に伴い、図６の（Ｂ）に示すように、シフトプレート１５のカム１５ａの上部水平面によって上方に押し上げられていたクランパ部材１２のローラ１２ｂは、カム１５ａの傾斜面に移動してカム１５ａから解放される。その結果、クランパ部材１２は、図示していないスプリングの付勢力によって下方に回動し、ディスクをターンテーブル１１上にチャッキングする。
【００１７】
また、シフトプレート１５のこの動作に伴い、図６の（Ｂ）に示すように、ローディングローラ部材１３のピン１３ｂは、シフトプレート１５のカム孔１５ｂの縁部と係合して下方に押し下げられ、その結果、ローディングローラ部材１３は下方への回動を開始する。より正確には、このローディングローラ部材１３は、クランパ部材１２によるチャッキングの時点では、動作の初期段階にある。そして、このクランパ部材１２によるチャッキング完了後にローディングローラ部材１３はさらに下降して、図６の（Ｃ）に示すように、ディスク駆動領域から十分に離れた解除位置に到達する。
【００１８】
一方、ロック部材１４は、図７の（Ａ）と（Ｂ）に示すように、シフトプレート１５の動作初期には、全く動作しない。そして、図６の（Ｃ）に示すように、ローディングローラ部材１３の解除が完了した後に、シフトプレート１５の上記動作に伴って動作を開始する。すなわち、図７の（Ｃ）に示すように、ロック部材１４のピン１４ｂは、シフトプレート１５のガイド孔５ｃによって押圧され、これにより、ロック部材１４は図中時計方向側に回動し、ディスク駆動部の被ロック部から十分に離れた解除位置に到達する。その結果、ディスク駆動部がフローティング状態となる。
【００１９】
なお、イジェクト動作は、シフトプレート１５をローディング動作とは逆に図中右側に向かって移動させることにより、クランパ部材１２、ローディングローラ部材１３、およびロック部材１４に上記と逆の動作を逆の順序で行わせるものであり、その詳細な動作は上記のローディング動作に関する説明から容易に理解可能であるため、ここでは説明を省略する。
【００２０】
【発明が解決しようとする課題】
ところで、上記のような従来のＣＤプレーヤにおいて、前述したような「▲１▼ターンテーブル上へのディスクの搬送→▲２▼ディスクのチャッキング→▲３▼ローディングローラの解除→▲４▼ディスク駆動部のロック解除」という一連のローディング動作、あるいは、「▲４▼´ディスク駆動部のロック→▲３▼´ローディングローラの当接→▲２▼´ディスクのチャッキング解除→▲１▼´外部へのディスクの搬送」という一連のイジェクト動作は、いずれも、所定の順番で確実に行われることが要求される。
【００２１】
すなわち、このような一連の動作において、前後して行われるべき動作のタイミングが同時または逆転した場合、例えば、ローディング時においてディスクのチャッキングの前にローディングローラが解除された場合には、動作不良になったり、ディスクにたわみ等の不都合な負荷を与える結果となり、パワーロスが多くなる。したがって、動作信頼性を確保し、パワーロスを少なくするためには、一連のローディング動作および一連のイジェクト動作を所定の流れで確実に行うことが必要なのである。
【００２２】
以上のように、一連のローディング動作および一連のイジェクト動作を所定の流れで確実に行う観点から、複数の部材の切換制御を一括して行うシフトプレートには、十分な量の移動ストロークが要求されることになる。その一方で、複数の部材に対して大きな駆動力を伝達するシフトプレートに複雑な動作を行わせることは不都合であり、シフトプレートは、図６および図７に示すように単純な直線運動を行う部材とせざるを得ない。そして、このように単純な直線運動を行うシフトプレートに十分な量の移動ストロークを与えた場合には、ディスクローディング機構におけるシフトプレートの動作方向の寸法が大きくなってしまい、その結果、ＣＤプレーヤ全体の大型化につながってしまう。
【００２３】
本発明は、上記のような従来技術の問題点を解決するために提案されたものであり、その目的は、複数の部材の切換制御を行うための切換部材の移動ストロークを小さくしながら、しかも、一連のローディング動作および一連のイジェクト動作を所定の流れで確実に行うことを可能とすることにより、小型で動作信頼性に優れ、パワーロスも少ない、優れたＣＤプレーヤを提供することである。
【００２４】
【課題を解決するための手段】
本発明は、上記の課題を解決するために、複数の部材の切換制御を行うための切換部材を２つの部材に分けることで、ディスクローディング機構全体としての移動ストロークの短縮を図ったものである。
【００２５】
すなわち、本発明のＣＤプレーヤは、基本的に、シャーシと、ディスク駆動部と、ローディングローラ部材と、ロック部材と、ディスクローディング機構を備える。このうち、ディスク駆動部は、ディスクを回転させるターンテーブルとこのターンテーブル上にディスクをチャッキングするクランパ部材とを有し、前記シャーシに対して弾性部材を介してフローティング状態で支持されてディスクを回転駆動する部分である。また、ローディングローラ部材は、前記シャーシに対して可動に支持されて、ディスクとの当接状態で回転することによってディスクを前記ターンテーブル上に搬送する部材であり、ロック部材は、前記シャーシに対して可動に支持されて、前記ディスク駆動部をシャーシに対して固定位置にロックする部材である。さらに、ディスクローディング機構は、ディスクを前記ターンテーブル上に搬送した後、ターンテーブル上のチャッキング位置に位置決めし、前記クランパ部材によってチャッキングし、前記ローディングローラ部材をディスクから離し、前記ロック部材のロックを解除して前記ディスク駆動部をフローティング状態とする機構である。
【００２６】
請求項１記載の発明は、以上のようなＣＤプレーヤにおいて、前記ディスクローディング機構は、前記ローディングローラ部材をディスクと当接する当接位置とディスクから離れる解除位置との間で移動させる第１のガイド部と、前記クランパ部材をチャッキング位置と解除位置との間で移動させる第２のガイド部とを有し、前記シャーシに対して移動することによって、前記第１と第２のガイド部を介してローディングローラ部材とクランパ部材の切換動作をそれぞれ行う第１の切換部材と、前記ロック部材をロック位置と解除位置との間で移動させるガイド部を有し、前記シャーシに対して移動することによって、ガイド部を介してロック部材の切換動作を行う第２の切換部材とを備え、前記第１と第２の切換部材は、単一の駆動源によって駆動されるとともにこの単一の駆動源からの駆動力によって回転する駆動ギヤの回転中心を挟む両側に対向配置され、前記駆動ギヤの回転によって互いに逆方向に平行移動するように構成されたことを特徴としている。
【００２７】
以上のような構成を有する請求項１記載の発明によれば、複数の部材を切換制御するための切換部材を第１と第２の切換部材に分割したことにより、対象部材の全てを単一の切換部材で切換制御する場合に比べて、各切換部材の移動ストロークを小さくすることができる。また、単一の駆動源によって、第１と第２の切換部材間の動作タイミングを容易に合わせることができる。
【００２８】
さらに、第１および第２の切換部材を駆動ギヤの回転中心の両側に対向配置するだけであるため、部品点数も少なく、コンパクトに構成可能である。さらに、第１および第２の切換部材の移動スペースを平行的に個別に確保することができるため、対象部材との係合部等の設計も容易である。
【００２９】
請求項２記載の発明は、請求項１記載のＣＤプレーヤにおいて、前記駆動ギヤと前記第１の切換部材とは連結されており、前記第２の切換部材はディスク挿入時においては駆動ギヤから切り離された状態にあり、この状態から駆動ギヤによって第１の切換部材を駆動し、続いて第２の切換部材を駆動するように構成されたことを特徴としている。この構成によれば、ディスクローディング時において、第１の切換部材によって、クランパ部材を動作させてディスクのチャッキングを行い、ローディングローラ部材の解除を行った後に、第２の切換部材によって、ロック部材の解除を行うことができるため、一連のローディング動作を所定の流れで確実に行うことができる。
【００３０】
請求項３記載の発明は、請求項２記載のＣＤプレーヤにおいて、前記駆動ギヤと前記第１および第２の切換部材の各々とが、ピンと溝からなる個別の係合部を介してそれぞれ連結されるように構成されたことを特徴としている。この構成によれば、ピンと溝の配置や形状の選択により、駆動ギヤの回転に対する第１および第２の切換部材の動作タイミングを容易かつ確実に設定することができる。
【００３１】
請求項４記載の発明は、請求項３記載のＣＤプレーヤが、さらに、前記単一の駆動源からの駆動力を前記駆動ギヤに伝達する伝達ギヤを備えると共に、前記駆動ギヤと前記第１の切換部材の周辺の構成が、次のように限定されたことを特徴としている。すなわち、駆動ギヤは、欠歯部を有する間欠ギヤであり、ギヤ歯部分では前記伝達ギヤと連結され、ディスクローディング開始時には欠歯部によって伝達ギヤから切り離された状態となるように構成される。また、第１の切換部材には、ディスクが前記チャッキング位置に位置決めされる際に第１の切換部材に対する相対移動であるトリガ動作を行い、続いて第１の切換部材と一体的に動作するトリガ部材が設けられる。さらに、駆動ギヤは、トリガ部材の前記トリガ動作によって回転し、前記伝達ギヤに噛み合うように構成される。この構成によれば、ディスクローディング時において、ディスクがチャッキング位置に位置決めされた状態で、トリガ部材のトリガ動作によって駆動ギヤを伝達ギヤと連結することで、第１の切換部材の動作が開始する。すなわち、ディスクがチャッキング位置に位置決めされた時点で初めて第１の切換部材を動作させ、クランパ部材を動作させてディスクのチャッキングを行うことになるため、ターンテーブル上へのディスクの搬送を含めた一連のローディング動作を所定の流れで確実に行うことができる。
【００３２】
請求項５記載の発明は、前記２〜４のいずれか１項に記載のＣＤプレーヤにおいて、前記駆動ギヤと前記第１および第２の切換部材の構成が、次のように限定されたことを特徴としている。すなわち、駆動ギヤと第１および第２の切換部材は、ディスクローディング時においては、駆動ギヤによる第１の切換部材の動作後期に第２の切換部材を駆動ギヤに連結して第２の切換部材の動作を開始させ、続いて第１の切換部材を駆動ギヤから切り離して停止させた後に第２の切換部材のみを駆動するように構成される。また、ディスクイジェクト時においては、駆動ギヤによる第２の切換部材の動作後期に第１の切換部材を駆動ギヤに連結して第１の切換部材の動作を開始させ、続いて第２の切換部材を駆動ギヤから切り離して停止させた後に第１の切換部材のみを駆動するように構成される。この構成によれば、ディスクローディング時およびディスクイジェクト時の途中における一方の切換部材から他方の切換部材への駆動力伝達切換時において、両方の切換部材が併行的に動作することになる。そのため、第１および第２の切換部材の各々における切換制御用の移動ストロークを十分に確保しながらしかも機構全体としての動作時間を短縮できる。
【００３３】
請求項６記載の発明は、請求項２記載のＣＤプレーヤにおいて、前記駆動ギヤと前記第１および第２の切換部材の各々とが、個別のラックを介してそれぞれ連結されるように構成されたことを特徴としている。
【００３４】
この構成によれば、ラックの配置や寸法の選択により、駆動ギヤの回転に対する第１および第２の切換部材の動作タイミングを容易かつ確実に設定することができる。
【００３５】
請求項７記載の発明は、請求項６記載のＣＤプレーヤにおいて、前記駆動ギヤと前記第１および第２の切換部材の周辺の構成が次のように限定されたことを特徴としている。
【００３６】
前記ラックは、ディスク挿入時には前記駆動ギヤから前記第１および第２の切換部材の両方が切り離された状態となるように構成され、前記第１の切換部材には、ディスクが前記チャッキング位置に位置決めされる際に第１の切換部材に対する相対移動であるトリガ動作を行い、続いて第１の切換部材と一体的に動作するトリガ部材が設けられ、前記第１の切換部材は、前記トリガ部材の前記トリガ動作によって前記駆動ギヤと連結されるように構成され、前記第１および第２の切換部材の一方の切換部材の動作を利用して他方の切換部材を駆動ギヤと連結する連結手段が設けられ、この連結手段は、ディスクローディング時には第１の切換部材の後期動作を利用して第２の切換部材を前記駆動ギヤに連結し、ディスクイジェクト時には第２の切換部材の後期動作を利用して第１の切換部材を前記駆動ギヤに連結するように構成されたことを特徴としている。この構成によれば、ディスクがチャッキング位置に位置決めされた状態で、トリガ部材のトリガ動作によって第１の切換部材を駆動ギヤと連結することで、第１の切換部材の動作が開始する。すなわち、ディスクがチャッキング位置に位置決めされた時点で初めて第１の切換部材を動作させ、クランパ部材を動作させてディスクのチャッキングを行うことになる。その上、第１および第２の切換部材の動作切換時においては、連結手段により、一方の切換部材の後期動作を利用して他方の切換部材を確実に駆動ギヤに連結することができる。したがって、ターンテーブル上へのディスクの搬送を含めた一連のローディング動作を所定の流れで確実に行うことができる。
【００３７】
請求項８記載の発明は、請求項７記載のＣＤプレーヤにおいて、前記連結手段の構成が、次のように限定されたことを特徴としている。すなわち、連結手段は、ディスクローディング時においては、第１の切換部材の後期動作によって第２の切換部材を前記駆動ギヤに連結した後に第２の切換部材の初期動作によって第１の切換部材を駆動ギヤから切り離すように構成される。また、ディスクイジェクト時においては、第２の切換部材の後期動作によって第１の切換部材を駆動ギヤに連結した後に第１の切換部材の初期動作によって第２の切換部材を駆動ギヤから切り離すように構成される。この構成によれば、ディスクローディング時およびディスクイジェクト時の途中における一方の切換部材から他方の切換部材への駆動力伝達切換時において、両方の切換部材が併行的に動作することになる。そのため、第１および第２の切換部材の各々における切換制御用の移動ストロークを十分に確保しながらしかも機構全体としての動作時間を短縮できる。
【００３８】
請求項９記載の発明は、請求項７または８記載のＣＤプレーヤにおいて、前記連結手段は、前記第１および第２の切換部材の間に設けられたリンクを含み、このリンクと第１および第２の切換部材の各々とは、ピンと溝からなる個別の係合部を介してそれぞれ連結されたことを特徴としている。この構成によれば、リンクの配置や形状、およびピンと溝の配置や形状の選択により、第１および第２の切換部材の動作タイミングを容易かつ確実に設定することができる。
【００３９】
請求項１０記載の発明は、請求項９記載のＣＤプレーヤにおいて、前記リンクは、ディスクローディング時に第１の切換部材を駆動ギヤから切り離した時点から動作終了までの間、およびディスクイジェクト時に動作開始から第１の切換部材を駆動ギヤに連結するまでの間において、第１の切換部材と前記トリガ部材とが前記ピンにより係合され一体的に移動するように構成されたことを特徴としている。
【００４０】
この構成によれば、駆動ギヤから第１の切換部材を切り離した後において、リンクによって第１の切換部材とトリガ部材を一体的に保持することができるため、この両部材の相対移動に起因して第１の切換部材が不都合に駆動ギヤに連結されることを防止できる。また、第１の切換部材とトリガ部材を一体的に保持するための別の部材を設ける必要がないため、部品点数を少なくすることができる。
【００４１】
請求項１１記載の発明は、請求項７記載のＣＤプレーヤにおいて、前記連結手段、前記駆動ギヤ、前記第１および第２の切換部材の構成が、次のように限定されたことを特徴としている。まず、連結手段は、第１および第２の切換部材の間に設けられた反転スプリングを含む。そして、駆動ギヤ、反転スプリング、第１および第２の切換部材は、ディスクローディング時においては、駆動ギヤによる第１の切換部材の後期動作によって反転スプリングを反転させ、反転スプリングの力によって第２の切換部材を駆動ギヤに連結すると共に第１の切換部材を駆動ギヤから切り離すように構成される。また、ディスクイジェクト時においては、駆動ギヤによる第２の切換部材の後期動作によって反転スプリングを反転させ、反転スプリングの力によって第１の切換部材を駆動ギヤに連結すると共に第２の切換部材を駆動ギヤから切り離すように構成される。この構成によれば、ディスクローディング時およびディスクイジェクト時の途中における一方の切換部材から他方の切換部材への駆動力伝達切換時において、一方の切換部材の動作により反転スプリングを反転させて他方の切換部材を駆動ギヤに連結することができる。したがって、駆動力伝達切換時において両方の切換部材を同時に駆動する必要がないため、設計の自由度を向上できる。
【００４２】
請求項１２記載の発明は、請求項７または１１記載のＣＤプレーヤにおいて、ディスクローディング時に第１の切換部材を駆動ギヤから切り離した時点から動作終了までの間、およびディスクイジェクト時に動作開始から第１の切換部材を駆動ギヤに連結するまでの間において、第１の切換部材と前記トリガ部材とが前記ピンにより係合され一体的に移動するための保持手段が設けられたことを特徴としている。
【００４３】
この構成によれば、駆動ギヤから第１の切換部材を切り離した後において、リンクによって第１の切換部材とトリガ部材を一体的に保持することができるため、この両部材の相対移動に起因して第１の切換部材が不都合に駆動ギヤに連結されることを防止できる。
【００４４】
【発明の実施の形態】
以下には、本発明を適用したＣＤプレーヤの複数の実施の形態について、具体的に説明する。なお、図６および図７に示した従来例と同一部分については、同一符号を付し、説明を省略する。
【００４５】
［１．第１の実施の形態］
［１−１．構成］
図１は、本発明を適用したＣＤプレーヤの第１の実施の形態に係るディスクローディング機構の主要部材のみを示す平面図であり、（Ａ）〜（Ｅ）は、ローディング動作開始状態（Ａ）からローディング動作完了状態（Ｅ）に至るまでの動作状態を段階的に順次示している。
【００４６】
この図１において、図示していない駆動モータの駆動力によって回転する伝達ギヤ１は、欠歯部を有する間欠ギヤであるパワーギヤ（駆動ギヤ）２のギヤ歯部分と噛み合うように配置されている。このパワーギヤ２によって、トリガプレート（トリガ部材）３を介してメインシフトプレート（第１の切換部材）４を駆動すると共に、サブシフトプレート（第２の切換部材）５を駆動するようになっている。また、メインシフトプレート４およびサブシフトプレート５は、パワーギヤ２の回転中心を挟む両側に対向配置され、パワーギヤ２の回転によって互いに逆方向に平行移動するように構成されている。
【００４７】
なお、メインシフトプレート４は、図２に示すように、クランパ部材１２とローディングローラ部材１３という２種類の部材を個別に切換制御するための部材であり、サブシフトプレート５は、図３に示すように、ロック部材１４を切換制御するための部材である。ここで、図２は、メインシフトプレートによる切換制御動作を示す側面図、図３は、サブシフトプレートによる切換制御動作を示す側面図であり、これらの図２および図３において、（Ａ）、（Ｄ）、（Ｅ）の各動作状態は、図１中に示す（Ａ）、（Ｄ）、（Ｅ）の各動作状態に対応している。以下には、このような切換制御に関連する各部材の構成と部材間の関係についてより詳細に説明する。
【００４８】
まず、パワーギヤ２には、図１に示すように、トリガプレート３を介してメインシフトプレート４を駆動するためのカム溝２ａと、サブシフトプレート５を駆動するためのピン２ｂが設けられている。このパワーギヤ２は、図１の（Ａ）に示すように、ローディング動作開始状態においては、その欠歯部によって伝達ギヤ１から切り離された状態となるように構成されている。
【００４９】
次に、メインシフトプレート４は、図１および図２に示すように、シャーシに対して水平方向に直線的に移動可能に支持されており、図１および図２の（Ａ）に示すような図中右側のローディング動作開始位置と図１および図２の（Ｄ）、（Ｅ）に示すような図中左側のローディング動作完了位置との間で往復動するように構成されている。このメインシフトプレート４は、長尺な垂直プレートとその長手方向の片側下部から水平に延設された水平プレートから構成されている。
【００５０】
そして、図１および図２に示すように、メインシフトプレート４の長手方向における一端（図中右側端部）には、水平プレートを挟んで垂直プレートと対向するようにして、クランパ部材１２の切換制御を行うためのカム４ａが設けられ、垂直プレートの長手方向の他端（図中左側端部）には、ローディングローラ部材１３の切換制御を行うためのカム孔４ｂが設けられている。なお、図中９は、ローディング時およびイジェクト時にメインシフトプレート４の動作を停止させて位置決めを行うためのストッパであり、メインシフトプレート４の一部を係止するようになっている。
【００５１】
続いて、トリガプレート３は、図１に示すように、メインシフトプレート４の水平プレートの一部の領域と重なるようにして設けられており、ディスクがターンテーブル上のチャッキング位置に位置決めされる際にトリガ動作を行うようになっている。すなわち、トリガプレート３は、トリガプレート３側に設けられた一対の溝３ａ内にメインシフトプレート４側に取り付けられた一対のピン４ｃがそれぞれ挿入されることによってメインシフトプレート４に対してトリガ動作分だけ相対移動できるように構成されている。
【００５２】
そして、トリガプレート３の一端にはピン３ｂが取り付けられており、パワーギヤ２のカム溝２ａ内に挿入されている。さらに、トリガプレート３とメインシフトプレート４との間には、復帰用スプリング３ｃが設けられており、トリガプレート３は、この復帰用スプリング３ｃにより、メインシフトプレート４に対して図１の（Ａ）に示すような初期位置に復帰する方向（図中右方向）に付勢されている。
【００５３】
一方、サブシフトプレート５は、図１および図３に示すように、シャーシに対して水平方向に直線的に移動可能に支持されており、図１および図３の（Ａ）に示すような図中左側のローディング動作開始位置と図１および図３の（Ｅ）に示すような図中右側のローディング動作完了位置との間で往復動するように構成されている。すなわち、このサブシフトプレート５は、前述したメインシフトプレート４と互いに逆方向に動作するように構成されている。このサブシフトプレート５は、長尺な垂直プレートとその長手方向の片側下部から水平に延設された水平プレートから構成されている。
【００５４】
そして、図３に示すように、サブシフトプレート５の垂直プレートの長手方向における一端（図中左側端部）には、ロック部材１４の切換制御を行うためのガイド孔５ａが設けられている。また、図１に示すように、サブシフトプレート５の水平プレートの一部には、係合溝５ｂが設けられており、ローディング動作におけるメインシフトプレート４の動作後期において、この係合溝５ｂ内に第２パワーカム２のピン２ｂが係合し、一時的にメインシフトプレート４と同時に動作するようになっている。さらに、垂直プレートの他端（図中右側端部）には、図１の（Ａ）に示すようにロック位置にあるロック部材１４と対向してロック部材１４と共にディスク駆動部の被ロック部１６を固定位置にロックするためのロック爪５ｃが設けられている。
【００５５】
以上のようなトリガプレート３、メインシフトプレート４、およびサブシフトプレート５の構成に対して、クランパ部材１２およびローディングローラ部材１３は、図６および図７に示した従来例の対応する各部材と若干形状が異なるものの、基本的に同様の構成を有する。そして、クランパ部材１２は、その一端に取り付けられたローラ１２ｂによって、メインシフトプレート４のカム４ａと係合するようになっており、ローディングローラ部材１３は、その一端に取り付けられたピン１３ｂによって、メインシフトプレート４のカム孔４ｂ内に挿入されている。
【００５６】
これに対して、ロック部材１４は、図６および図７に示した従来例とは動作方向が異なる。すなわち、本実施の形態において、ロック部材１４は、支点１４ａによって垂直方向に回動可能に支持されており、図３の（Ａ）に示すような上方のロック位置と、図３の（Ｅ）に示すような下方の解除位置との間で移動するようになっている。そして、ロック部材１４は、その一端に取り付けられたピン１４ｂによって、サブシフトプレート５のガイド孔５ａ内に挿入されている。また、このように垂直方向に回動する関係から、ロック部材１４は、図示していないスプリングによってロック方向（図中上方）に付勢されている。
【００５７】
［１−２．作用］
以上のような構成を有する本実施の形態のディスクローディング機構によれば、一連のローディング動作および一連のイジェクト動作を所定の流れで確実に行うことができる。以下には、ローディング動作について詳細に説明する。
【００５８】
すなわち、ローディング動作においては、ディスクがターンテーブル上のチャッキング位置に位置決めされる際に、トリガプレート３が、図１の（Ａ）に示すローディング動作開始位置から図中左側に向かってトリガ動作を行う。このようなトリガ動作に伴い、図１の（Ｂ）に示すように、トリガプレート３のピン３ｂがパワーギヤ２のカム溝２ａを介してパワーギヤ２を押圧し、パワーギヤ２を図中時計方向に回動させるため、伝達ギヤ１から切り離されていたパワーギヤ２が伝達ギヤ１に噛み合う。その結果、パワーギヤ２は、伝達ギヤ１に連結された駆動モータの駆動力によって図中時計方向への回転を開始する。
【００５９】
このように、パワーギヤ２が図中時計方向への回転を開始すると、トリガプレート３のピン３ｂが第２パワーギヤ２のカム溝２ａによって図中左側に押圧され、さらに左側へ移動する。この時点では、図１の（Ｂ）に示すように、トリガプレート３は、メインシフトプレート４に対して図中左側の前進位置にあるため、トリガプレート３の動作に伴い、図１の（Ｃ）に示すように、メインシフトプレート４も一体的に図中左方向への移動を開始する。このメインシフトプレート４の動作に伴い、メインシフトプレート４のカム４ａの上部水平面によって上方に押し上げられていたクランパ部材１２のローラ１２ｂは、カム４ａの傾斜面に移動してカム４ａから解放される。その結果、クランパ部材１２は、図２の（Ｄ）に示すように、図示していないスプリングの付勢力によって下方に回動し、ディスクをターンテーブル上にチャッキングする。
【００６０】
また、メインシフトプレート４のこの動作に伴い、ローディングローラ部材１３のピン１３ｂは、図２の（Ａ）の状態からメインシフトプレート４のカム孔４ｂの縁部と係合して下方に押し下げられ、その結果、ローディングローラ部材１３は下方への回動を開始する。より正確には、このローディングローラ部材１３は、クランパ部材１２によるチャッキングの時点では、動作の初期段階にある。そして、このクランパ部材１２によるチャッキング完了後にローディングローラ部材１３はさらに下降して、図２の（Ｄ）に示すように、ディスク駆動領域から十分に離れた解除位置に到達する。
【００６１】
なお、このようなローディングローラ部材１３の解除の時点では、図１の（Ｄ）に示すように、トリガプレート３は、そのピン３ｂとパワーギヤ２のカム溝２ａとの係合関係によって所定のローディング完了位置に固定され、メインシフトプレート４は、その一部でストッパ９に係止されて停止する。すなわち、メインシフトプレート４は、このストッパ９とトリガプレート３とによって、所定のローディング完了位置に位置決めされる。また、この後のパワーギヤ２の回転量は、トリガプレート３のピン３ｂがパワーギヤ２のカム溝２ａの逃げ部内を相対移動することで吸収される。
【００６２】
一方、サブシフトプレート５は、図１の（Ａ）〜（Ｃ）に示すように、メインシフトプレート４の動作初期には、全く動作しない。そして、図１の（Ｄ）に示すように、パワーギヤ２のピン２ｂがサブシフトプレート５の係合溝５ｂに係合した後に、パワーギヤ２の図中時計方向の回転に伴って図中右方向への移動を開始する。このサブシフトプレート５の動作に伴い、サブシフトプレート５のガイド溝５ａの水平部分によって上方に保持されていたロック部材１４のピン１４ｂは、ガイド溝５ａの垂直部分に移動して下方に押し下げられる。そのため、ロック部材１４は、図３の（Ｅ）に示すように、下方に回動し、ディスク駆動部の被ロック部から十分に離れた解除位置に到達し、ディスク駆動部がフローティング状態となる。この場合、ロック部材１４のピン１４ｂは、サブシフトプレート５のガイド溝５ａの下端部でサブシフトプレート５のストッパとして作用するため、サブシフトプレート５はこの時点で停止し、所定のローディング完了位置に位置決めされる。また、この時点では、図示していない検出手段により、ローディング動作の完了が検出され、駆動モータが停止する。
【００６３】
なお、イジェクト動作は、図１の（Ｅ）に示すローディング動作完了状態から、パワーギヤ２をローディング動作とは逆に、図中反時計方向に向かって回転させることにより、図１の（Ｅ）〜（Ａ）に向かう一連の動作によって、クランパ部材１２、ローディングローラ部材１３、およびロック部材１４に上記と逆の動作を逆の順序で行わせるものであり、その詳細な動作は上記のローディング動作に関する説明から容易に理解可能であるため、ここでは説明を省略する。
【００６４】
［１−３．効果］
本実施の形態によれば、単一の駆動源によってメインシフトプレート４とサブシフトプレート５の両方を一括的に駆動する構成であるため、メインシフトプレート４とサブシフトプレート５の動作タイミングを容易に合わせることができ、▲２▼ディスクのチャッキング、▲３▼ローディングローラの解除、▲４▼ディスク駆動部のロック解除、という一連のローディング動作、および、▲４▼´ディスク駆動部のロック、▲３▼´ローディングローラの当接、▲２▼´ディスクのチャッキング解除、という一連のイジェクト動作を所定の流れで確実に行うことができる。したがって、動作信頼性に優れている。
【００６５】
特に、ローディング動作の開始時には駆動モータからメインシフトプレート４を切り離しておき、トリガプレート３のトリガ動作によって初めて駆動力を伝達する構成であることから、ディスクがチャッキング位置に確実に位置決めされた後にメインシフトプレート４を動作させてディスクのチャッキングを行うことができる。そのため、ターンテーブル上へのディスクの搬送を含めた一連のローディング動作を所定の流れで確実に行うことができ、動作信頼性がさらに向上している。
【００６６】
また、本実施の形態においては、クランパ部材１２、ローディングローラ部材１３、およびロック部材１４の切換制御を、メインシフトプレート４とサブシフトプレート５という２つの切換部材によって行う構成であるため、同じ対象部材１２〜１４の切換制御を一括的に行う単一のシフトプレート１５の移動ストロークに比べて、メインシフトプレート４とサブシフトプレート５の各移動ストロークを確実に小さくすることができる。したがって、ディスクローディング機構におけるこれらの部材の動作方向寸法を小さくすることができ、ＣＤプレーヤ全体の小型化に貢献できる。
【００６７】
その上、平行に配置したメインシフトプレート４とサブシフトプレート５の間における駆動力伝達切換時において、両部材４，５を一時的に同時併行的に駆動することにより、これらの部材４，５の各々における切換制御用の移動ストロークを十分に確保しながらしかも動作時間を重複させることで機構全体としての動作時間を短縮できる。
【００６８】
そしてまた、メインシフトプレート４とサブシフトプレート５をパワーギヤ２の回転中心の両側に対向配置するだけであるため、部品点数も少なく、コンパクトに構成可能である。さらに、メインシフトプレート４とサブシフトプレート５の移動スペースを平行的に個別に確保することができるため、対象部材１２〜１４との係合部等の設計も容易である。また、パワーギヤ２とメインシフトプレート４およびサブシフトプレート５の各々とを、ピンと溝からなる個別の係合部を介してそれぞれ連結しているため、係合部の構成が簡略である上、ピンと溝の配置や形状の選択により、パワーギヤ２の回転に対するメインシフトプレート４とサブシフトプレート５の動作タイミングを容易かつ確実に設定することができる。
【００６９】
［２．第２の実施の形態］
［２−１．構成］
図４は、本発明を適用したＣＤプレーヤの第２の実施の形態に係るディスクローディング機構の主要部材のみを示す平面図であり、（Ａ）〜（Ｅ）は、ローディング動作開始状態（Ａ）からローディング動作完了状態（Ｅ）に至るまでの動作状態を段階的に順次示している。
【００７０】
この図４に示すように、本実施の形態においては、大小のギヤからなる欠歯部のないパワーギヤ６を駆動モータによって回転させ、このパワーギヤ６の小径ギヤに、トリガプレート３およびサブシフトプレート５にそれぞれ設けたラック３ｄ，５ｄを順次噛み合わせるように構成されている。この場合、ラック３ｄ，５ｄは、図４の（Ａ）に示すように、ローディング動作開始状態においては、いずれもパワーギヤ６から切り離された状態となるように構成されている。
【００７１】
また、メインシフトプレート４とサブシフトプレート５の間には、これらの部材の一方の動作を利用して他方の部材をパワーギヤ６と連結するリンク７が設けられている。このリンク７は、支点７ａを中心に回動可能に設けられており、その一端には、トリガプレート３およびメインシフトプレート４と係合するピン７ｂが取り付けられ、他端には、サブシフトプレート５と係合するピン７ｂ，７ｃが取り付けられている。
【００７２】
これに対して、トリガプレート３とメインシフトプレート４には、互いに重なるカム溝３ｅ，４ｅがそれぞれ設けられており、これらのカム溝３ｅ，４ｅにリンク７の一方のピン７ｂが挿入されている。この場合、トリガプレート３のカム溝３ｅは、トリガ動作分だけメインシフトプレート４のカム溝４ｅよりも長くなっている。また、サブシフトプレート５にも同様にカム溝５ｅが設けられており、このカム溝５ｅにリンク７の他方のピン７ｃが挿入されている。すなわち、本実施の形態においては、リンク７とそのピン７ｂ，７ｃおよびこれらのピン７ｂ，７ｃと係合するカム溝３ｅ，４ｅ，５ｅによって、本発明に係る連結手段が構成されている。
【００７３】
また、本実施の形態においては、前記第１の実施の形態と同様に、メインシフトプレート４とサブシフトプレート５の間における駆動力伝達切換時において、両部材４，５を一時的に同時に駆動するように、リンク７とそのピン７ｂ，７ｃおよびこれらのピン７ｂ，７ｃと係合するカム溝３ｅ，４ｅ，５ｅからなる連結手段は、次のように構成されている。
【００７４】
すなわち、連結手段は、ローディング動作時においては、メインシフトプレート４の後期動作によってリンク７を介してサブシフトプレート５のラック５ｄをパワーギヤ６に連結した後に、サブシフトプレート５の初期動作によってリンク７を介してトリガプレート３のラック３ｄをパワーギヤ６から切り離し、それによってメインシフトプレート４をパワーギヤ６から切り離すように構成されている。また、イジェクト動作時においては、サブシフトプレート５の後期動作によってリンク７を介してトリガプレート３のラック３ｄをパワーギヤ６に連結し、それによってメインシフトプレート４をパワーギヤ６に連結した後に、メインシフトプレート４の初期動作によってリンク７を介してサブシフトプレート５のラック５ｄをパワーギヤ６から切り離すように構成されている。
【００７５】
なお、図４においては、クランパ部材１２、ローディングローラ１３、およびロック部材１４を移動させるためのガイド部は図示されていないが、前記第１の実施の形態と同様のガイド部が構成されている。
【００７６】
［２−２．作用］
以上のような構成を有する本実施の形態のディスクローディング機構によれば、前記第１の実施の形態と同様に、一連のローディング動作および一連のイジェクト動作を所定の流れで確実に行うことができる。以下には、ローディング動作について詳細に説明する。
【００７７】
すなわち、ローディング動作においては、ディスクがターンテーブル上のチャッキング位置に位置決めされる際に、トリガプレート３が、図４の（Ａ）に示すローディング動作開始位置から図中左側に向かってトリガ動作を行う。このようなトリガ動作に伴い、図４の（Ｂ）に示すように、トリガプレート３のラック３ｄがパワーギヤ６に噛み合う。その結果、パワーギヤ６の図中時計方向への回転に伴い、トリガプレート３がさらに左側へ移動し、図４の（Ｃ）に示すように、メインシフトプレート４も一体的に図中左方向への移動を開始する。
【００７８】
このメインシフトプレート４の動作に伴い、そのカム溝４ｅの縁部によってリンク７の一端のピン７ｂが図中左側に押圧され、リンク７が図中時計方向への回動を開始してその他端のピン７ｃによってサブシフトプレート５のカム溝５ｅの縁部を押圧するため、サブシフトプレート５のラック５ｄがパワーギヤ６に噛み合い、サブシフトプレート５が図中右方向への移動を開始する。また、このメインシフトプレート４の動作に伴い、図２に示したようなクランパ部材１２が動作し、ディスクをターンテーブル上にチャッキングした後、図２に示したようなローディングローラ部材１３が解除される。
【００７９】
このようなローディングローラ部材１３の解除を完了した後は、サブシフトプレート５の動作力がリンク７を介してトリガプレート３およびメインシフトプレート４側に伝達されることにより、トリガプレート３およびメインシフトプレート４はさらに図中左方向へ移動し、図４の（Ｄ）に示すように、トリガプレート３のラック３ｄとパワーギヤ６との噛み合いが完全に外れるローディング完了位置にまで達し、メインシフトプレート４の一部がストッパ９に係止されて停止する。
【００８０】
この時点で、リンク７のピン７ｃは、サブシフトプレート５のカム溝５ｅの逃げ部に移動しており、リンク７の回転は停止するため、トリガプレート３およびメインシフトプレート４は、そのままの位置で停止する。この場合、トリガプレート３のカム溝３ｅとメインシフトプレート４のカム溝４ｅがリンク７のピン７ｂで一体的に固定されるため、トリガプレート３は、復帰用スプリング３ｃの付勢力に抗したままの状態で固定される。
【００８１】
一方、サブシフトプレート５は、この後も、パワーギヤ６の回転に伴って図中右方向へ移動し、このサブシフトプレート５の動作に伴い、図３に示したようなロック部材１４が解除される。ロック部材１４が解除された時点で、図４の（Ｅ）に示すように、サブシフトプレート５は停止し、所定のローディング完了位置に位置決めされる。この場合、サブシフトプレート５のラック５ｄは、パワーギヤ６に噛み合ったままの状態に保たれる。また、この時点では、図示していない検出手段により、ローディング動作の完了が検出され、駆動モータが停止する。なお、イジェクト動作は、図４の（Ｅ）に示すローディング動作完了状態から、パワーギヤ６をローディング動作とは逆に、図中反時計方向に向かって回転させることにより、図４の（Ｅ）〜（Ａ）に向かう一連の動作によって、クランパ部材１２、ローディングローラ部材１３、およびロック部材１４に上記と逆の動作を逆の順序で行わせるものであり、その詳細な動作は上記のローディング動作に関する説明から容易に理解可能であるため、ここでは説明を省略する。
【００８２】
［２−３．効果］
本実施の形態によれば、前記第１の実施の形態と同様の効果が得られることに加えてさらに次のような効果が得られる。すなわち、メインシフトプレート４とサブシフトプレート５の一方の部材の後期動作により、リンク７を介して他方の部材をパワーギヤ６に確実に連結することができるため、一連のローディング動作および一連のイジェクト動作を所定の流れで確実に行うことができ、動作信頼性に優れている。
【００８３】
また、パワーギヤ６から切り離された後のメインシフトプレート４とトリガプレート３をリンク７によって一体的に保持することができるため、メインシフトプレート４をパワーギヤ６から切り離した後に、この両部材の相対移動に起因してメインシフトプレート４が不都合にパワーギヤ６に噛み合わされることを防止できる。そしてまた、メインシフトプレート４とトリガプレート３を一体的に保持するための別の部材を設ける必要がないため、部品点数を少なくすることができる。
【００８４】
さらに、前記第１の実施の形態のように間欠ギヤを使用する場合には、取り付け時に間欠ギヤの方向決めが必要となるが、間欠部を持たないギヤとラックを噛み合わせる本実施の形態の構成によれば、ギヤの方向決めは不要であり、組み立て作業も容易である。
【００８５】
［３．第３の実施の形態］
［３−１．構成］
図５は、本発明を適用したＣＤプレーヤの第３の実施の形態に係るディスクローディング機構の主要部材のみを示す平面図であり、（Ａ）〜（Ｅ）は、ローディング動作開始状態（Ａ）からローディング動作完了状態（Ｅ）に至るまでの動作状態を段階的に順次示している。
【００８６】
この図５に示すように、本実施の形態においては、前記第２の実施の形態と同様に、大小のギヤからなるパワーギヤ６を駆動モータによって回転させ、このパワーギヤ６の小径ギヤに、トリガプレート３およびサブシフトプレート５にそれぞれ設けたラック３ｄ，５ｄを順次噛み合わせるように構成されている。そして、ラック３ｄ，５ｄは、図４の（Ａ）に示すように、ローディング動作開始状態においては、いずれもパワーギヤ６から切り離された状態となるように構成されている。
【００８７】
また、メインシフトプレート４とサブシフトプレート５の間には、これらの部材の一方の動作を利用して反転し、他方の部材をパワーギヤ６と連結するための反転スプリング（連結手段）８が設けられている。これに対して、リンク７は、トリガプレート３およびメインシフトプレート４のみと係合するように構成されている。すなわち、トリガプレート３とメインシフトプレート４には、互いに重なるカム溝３ｅ，４ｅがそれぞれ設けられており、これらのカム溝３ｅ，４ｅにリンク７のピン７ｂが挿入されている。そして、トリガプレート３のカム溝３ｅは、トリガ動作分だけメインシフトプレート４のカム溝４ｅよりも長くなっている。これらのリンク７とそのピン７ｂ、およびこのピン７ｂと係合するカム溝３ｅ，４ｅは、本発明に係る保持手段を構成している。
【００８８】
さらに、本実施の形態においては、前記第１および第２の実施の形態とは異なり、メインシフトプレート４とサブシフトプレート５の間における駆動力伝達切換時において、両部材４，５を一時的に同時に駆動することなしに、一方の部材をパワーギヤ６から切り離した後に、他方の部材をパワーギヤ６に連結するように構成されている。
【００８９】
なお、図５においては、クランパ部材１２、ローディングローラ１３、およびロック部材１４を移動させるためのガイド部は図示されていないが、前記第１の実施の形態と同様のガイド部が構成されている。
【００９０】
［３−２．作用］
以上のような構成を有する本実施の形態のディスクローディング機構によれば、前記第１および第２の実施の形態と同様に、一連のローディング動作および一連のイジェクト動作を所定の流れで確実に行うことができる。以下には、ローディング動作について詳細に説明する。
【００９１】
すなわち、ローディング動作においては、ディスクがターンテーブル上のチャッキング位置に位置決めされる際に、トリガプレート３が、図５の（Ａ）に示すローディング動作開始位置から図中左側に向かってトリガ動作を行う。このようなトリガ動作に伴い、図５の（Ｂ）に示すように、トリガプレート３のラック３ｄがパワーギヤ６に噛み合う。その結果、パワーギヤ６の図中時計方向への回転に伴い、トリガプレート３がさらに左側へ移動し、図５の（Ｃ）に示すように、メインシフトプレート４も一体的に図中左方向への移動を開始する。このメインシフトプレート４の動作に伴い、図２に示したようなクランパ部材１２が動作し、ディスクをターンテーブル上にチャッキングした後、図２に示したようなローディングローラ部材１３が解除される。
【００９２】
また、このようなメインシフトプレート４の動作に伴い、反転スプリング８の一端が図中右側へ移動を開始することで、反転スプリング８は、他端を軸として図中時計方向に回動し、メインシフトプレート４がローディングローラ部材１３の解除を完了した後には、図５の（Ｃ）に示すような中立位置に達する。そして、反転スプリング８がこの中立位置を越えて反転する時点では、トリガプレート３およびメインシフトプレート４は、図５の（Ｄ）に示すように、トリガプレート３のラック３ｄとパワーギヤ６との噛み合いが完全に外れるローディング完了位置にまで達し、メインシフトプレート４の一部がストッパ９に係止されて停止する。この場合、トリガプレート３のカム溝３ｅとメインシフトプレート４のカム溝４ｅがリンク７のピン７ｂで一体的に固定されるため、トリガプレート３は、復帰用スプリング３ｃの付勢力に抗したままの状態で固定される。
【００９３】
一方、サブシフトプレート５は、メインシフトプレート４がパワーギヤ６から切り離される時点まではサブシフトプレート５は停止しているが、メインシフトプレート４が切り離された直後に、サブシフトプレート５は反転した反転スプリング８の弾性力によって図中右方向に移動して、そのラック５ｄがパワーギヤ６に噛み合い、この後は、パワーギヤ６の駆動力によって図中右方向への移動を継続する。そして、このサブシフトプレート５の動作に伴い、図３に示したようなロック部材１４が解除される。ロック部材１４が解除された時点で、図５の（Ｅ）に示すように、サブシフトプレート５は停止し、所定のローディング完了位置に位置決めされる。この場合、サブシフトプレート５のラック５ｄは、パワーギヤ６に噛み合ったままの状態に保たれる。また、この時点では、図示していない検出手段により、ローディング動作の完了が検出され、駆動モータが停止する。なお、イジェクト動作は、図５の（Ｅ）に示すローディング動作完了状態から、パワーギヤ６をローディング動作とは逆に、図中反時計方向に向かって回転させることにより、図５の（Ｅ）〜（Ａ）に向かう一連の動作によって、クランパ部材１２、ローディングローラ部材１３、およびロック部材１４に上記と逆の動作を逆の順序で行わせるものであり、その詳細な動作は上記のローディング動作に関する説明から容易に理解可能であるため、ここでは説明を省略する。
【００９４】
［３−３．効果］
本実施の形態によれば、前記第１の実施の形態と同様の効果が得られることに加えてさらに次のような効果が得られる。すなわち、メインシフトプレート４とサブシフトプレート５の一方の部材の後期動作を利用して、反転スプリング８を反転させ、この反転スプリング８の弾性力によって他方の部材をパワーギヤ６に確実に連結することができるため、一連のローディング動作および一連のイジェクト動作を所定の流れで確実に行うことができ、動作信頼性に優れている。
【００９５】
また、前記第２の実施の形態と同様に、パワーギヤ６から切り離された後のメインシフトプレート４とトリガプレート３をリンク７によって一体的に保持することができるため、メインシフトプレート４をパワーギヤ６から切り離した後に、この両部材の相対移動に起因してメインシフトプレート４が不都合にパワーギヤ６に噛み合わされることを防止できる。
【００９６】
さらに、前記第１の実施の形態のように間欠ギヤを使用する場合には、取り付け時に間欠ギヤの方向決めが必要となるが、前記第２の実施の形態と同様に、間欠部を持たないギヤとラックを噛み合わせる本実施の形態の構成によれば、ギヤの方向決めは不要であり、組み立て作業も容易である。
【００９７】
［４．他の実施の形態］
なお、本発明は、前記各実施の形態に限定されるものではなく、他にも本発明の範囲内で多種多様な変形例が実施可能である。例えば、本発明において、第１および第２の切換部材やそのガイド部の具体的な構成、これらの切換部材や駆動ギヤ等を含むディスクローディング機構の具体的な構成は自由に選択可能である。同様に、ディスク駆動部やそのクランパ部材、ローディングローラ部材やロック部材等の具体的な構成は自由に選択可能である。
【００９８】
すなわち、本発明は、第１の切換部材によってクランパ部材とローディングローラ部材の切換制御を行い、かつ、第２の切換部材によってロック部材の切換制御を行うものである限り、各部の具体的な構成は自由に選択可能であり、いずれの場合にも、前記各実施の形態について記載したような優れた効果が得られるものである。
【００９９】
【発明の効果】
以上説明したように、本発明によれば、複数の部材の切換制御を行うための切換部材を２つの部材に分けることで、ディスクローディング機構全体としての移動ストロークを小さくしながら、しかも、一連のローディング動作および一連のイジェクト動作を所定の流れで確実に行うことを可能とすることにより、小型で動作信頼性に優れ、パワーロスも少ない、優れたＣＤプレーヤを提供することができる。
【図面の簡単な説明】
【図１】本発明を適用したＣＤプレーヤの第１の実施の形態に係るディスクローディング機構の主要部材のみを示す図であり、（Ａ）〜（Ｅ）は、動作状態を段階的に示す平面図。
【図２】図１のメインシフトプレートによる切換制御動作を示す図であり、（Ａ）、（Ｄ）は、図１の（Ａ）、（Ｄ）にそれぞれ対応する側面図。
【図３】図１のサブシフトプレートによる切換制御動作を示す図であり、（Ａ）、（Ｅ）は、図１の（Ａ）、（Ｅ）にそれぞれ対応する側面図。
【図４】本発明を適用したＣＤプレーヤの第２の実施の形態に係るディスクローディング機構の主要部材のみを示す図であり、（Ａ）〜（Ｅ）は、動作状態を段階的に示す平面図。
【図５】本発明を適用したＣＤプレーヤの第３の実施の形態に係るディスクローディング機構の主要部材のみを示す図であり、（Ａ）〜（Ｅ）は、動作状態を段階的に示す平面図。
【図６】従来のＣＤプレーヤのディスクローディング機構の一例を示す図であり、（Ａ）〜（Ｃ）は、動作状態を段階的に示す側面図。
【図７】図６のディスクローディング機構を示す図であり、（Ａ）〜（Ｃ）は、図６の（Ａ）〜（Ｃ）にそれぞれ対応する平面図。
【符号の説明】
１…伝達ギヤ
２，６…パワーギヤ
２ａ，３ｅ，４ｅ，５ｅ…カム溝，
２ｂ，３ｂ，４ｃ，７ａ，７ｂ，１３ｂ，１４ｂ…ピン
３…トリガプレート
３ａ…溝
３ｃ…復帰用スプリング
３ｄ，５ｄ…ラック
４…メインシフトプレート
４ａ，１５ａ…カム
４ｂ，１５ｂ…カム孔
５…サブシフトプレート
５ａ，１５ｃ…ガイド溝
５ｂ…係合溝
５ｃ…ロック爪
７…リンク
８…反転スプリング
９…ストッパ
１１…ターンテーブル
１２…クランパ部材
１２ａ，１３ａ，１４ａ…支点
１２ｂ…ローラ
１３…ローディングローラ部材
１４…ロック部材
１５…シフトプレート
【図１】
0003998077.tif 000002
【図２】
0003998077.tif 000003
【図３】
0003998077.tif 000004
【図４】
0003998077.tif 000005
【図５】
0003998077.tif 000006
【図６】
0003998077.tif 000007
【図７】
0003998077.tif 000008